【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
回転可能な像担持体と、
前記像担持体の表面を帯電する帯電部材と、
前記帯電部材によって帯電された前記像担持体の表面を露光することで、前記像担持体に静電潜像を形成する露光ユニットと、
前記像担持体に接触する接触部材と、
前記帯電部材に第１の電圧を印加する第１の電圧印加部と、
前記接触部材に第２の電圧を印加する第２の電圧印加部と、
前記接触部材から前記像担持体に流れる電流の電流値を検知する電流検知部と、
前記露光ユニットと前記第１の電圧印加部と前記第２の電圧印加部と、を制御する制御部と、を有し、
前記制御部は、
前記第２の電圧印加部によって前記接触部材に前記第２の電圧が印加された状態で、前記接触部材と前記像担持体との間に流れ、前記電流検知部によって検知される放電電流に基づいて前記像担持体の表面電位を測定値として算出し、前記測定値に基づいて記録媒体に画像を形成する画像形成動作時における前記像担持体の前記表面電位を形成する表面電位形成工程を実行する画像形成装置において、
前記表面電位形成工程は、以下の（ｉ）〜（ｉｉｉ）の工程を含むことを特徴とする画像形成装置、
（ｉ）前記第１の電圧印加部によって所定の電圧が印加された前記帯電部材によって帯電された前記像担持体の表面を、前記露光ユニットによって所定の露光量で露光することによって形成された前記像担持体の前記表面電位を算出し、算出された前記像担持体の前記表面電位と目標値との差から補正値を算出する第１の工程、
（ｉｉ）前記補正値に基づいて前記第１の工程により算出された前記像担持体の前記表面電位を補正する第２の工程、
（ｉｉｉ）前記第２の工程において補正された前記像担持体の前記表面電位に基づいて、前記画像形成動作時における前記像担持体の前記表面電位が前記目標値となるように前記第１の電圧印加部と前記露光ユニットのうち少なくとも１つを制御する第３の工程。
【請求項２】
前記第３の工程によって形成される前記像担持体の前記表面電位は、前記帯電部材によって帯電された前記像担持体の表面に前記露光ユニットによって露光されて形成された前
記表面電位であることを特徴とする請求項１に記載の画像形成装置。
【請求項３】
前記第３の工程によって形成される前記像担持体の前記表面電位は、前記帯電部材によって帯電された前記像担持体の表面に形成された前記表面電位であることを特徴とする請求項１に記載の画像形成装置。
【請求項４】
前記所定の露光量は、前記接触部材に起因しない前記測定値の誤差が、前記画像形成動作時における前記接触部材に起因しない前記測定値の誤差よりも小さくなる露光量であることを特徴とする請求項１から３のいずれか１項に記載の画像形成装置。
【請求項５】
前記像担持体の前記表面電位の前記目標値と、前記第１の電圧と、前記補正された前記像担持体の前記表面電位との関係を記憶する記憶部を有し、
前記制御部は、前記補正された前記像担持体の前記表面電位と、前記記憶部によって記憶された前記関係と、に基づいて、前記第１の電圧印加部によって印加される前記第１の電圧を制御することを特徴とする請求項１から４のいずれか１項に記載の画像形成装置。
【請求項６】
回転可能な像担持体と、前記像担持体の表面を帯電する帯電部材と、を備えるカートリッジと、
前記帯電部材によって帯電された前記像担持体の表面を露光することで、前記像担持体に静電潜像を形成する露光ユニットと、
前記像担持体に接触する接触部材と、
前記帯電部材に第１の電圧を印加する第１の電圧印加部と、
前記接触部材に第２の電圧を印加する第２の電圧印加部と、
前記接触部材から前記像担持体に流れる電流の電流値を検知する電流検知部と、
前記カートリッジの使用状況に基づいて、前記カートリッジの劣化度を取得する取得部と、
前記露光ユニットと前記第１の電圧印加部と前記第２の電圧印加部と、を制御する制御部と、を有し、
前記制御部は、前記第２の電圧印加部によって前記接触部材に前記第２の電圧が印加された状態で、前記電流検知部によって検知される放電電流に基づいて前記像担持体の表面電位を測定値として算出し、前記測定値に基づいて記録媒体に画像を形成する画像形成動作時における前記像担持体の前記表面電位を形成する表面電位形成工程を実行する画像形成装置において、
前記制御部は、前記取得部によって取得される前記劣化度が閾値以下である場合、以下の（ｉ）〜（ｉｉｉ）の第１の表面電位形成工程を実行し、前記取得部によって取得される前記劣化度が閾値より大きい場合、以下の（ｉｖ）〜（ｖｉ）の第２の表面電位形成工程を実行することを特徴とする画像形成装置、
（ｉ）前記第１の電圧印加部によって所定の電圧が印加された前記帯電部材によって帯電された前記像担持体の表面を、前記露光ユニットによって所定の露光量で露光することによって形成された前記像担持体の第１の表面電位を算出し、算出された前記第１の表面電位と第１の目標値との差から第１の補正値を算出する第１の工程、
（ｉｉ）前記第１の補正値に基づいて前記第１の工程により算出された前記第１の表面電位を補正する第２の工程、
（ｉｉｉ）前記第２の工程において補正された前記第１の表面電位に基づいて、前記画像形成動作時における前記第１の表面電位が前記第１の目標値となるように前記第１の電圧印加部と前記露光ユニットのうち少なくとも１つを制御する第３の工程、
（ｉｖ）前記第１の電圧印加部によって前記所定の電圧が印加された帯電部材によって帯電された前記像担持体の表面を、前記露光ユニットによって露光せず前記像担持体の第２の表面電位を算出し、算出された前記第２の表面電位と第２の目標値との差から第２の補正値を算出する第４の工程、
（ｖ）前記第２の補正値に基づいて前記第４の工程により算出された前記第２の表面電位を補正する第５の工程、
（ｖｉ）前記第５の工程において補正された前記第２の表面電位に基づいて、前記画像形成動作時における前記第２の表面電位が前記第２の目標値となるように前記第１の電圧印加部と前記露光ユニットのうち少なくとも１つを制御する第６の工程。
【請求項７】
前記像担持体の回転数と、前記像担持体の回転時間と、前記帯電部材が前記像担持体を帯電した時間と、現像剤の使用量のうち少なくともいずれか１つと、前記劣化度との第１の関係が記憶された記憶部を有し、
前記制御部は、前記回転数と、前記回転時間と、前記時間と、前記使用量のうち少なくともいずれか１つと、前記第１の関係と、に基づいて、前記劣化度を取得することを特徴とする請求項６に記載の画像形成装置。
【請求項８】
前記記憶部には、前記第１の表面電位の前記第１の目標値と、前記第１の電圧印加部と、前記表面電位の前記測定値との第２の関係が記憶されており、
前記制御部は、前記測定値と前記第２の関係に基づいて、前記第１の表面電位が前記第１の目標値となるように、前記第１の電圧を前記所定の電圧に制御することを特徴とする請求項７に記載の画像形成装置。
【請求項９】
前記記憶部には、前記第２の表面電位の前記第２の目標値と、前記第１の電圧印加部と、前記表面電位の前記測定値との第３の関係が記憶されており、
前記制御部は、前記測定値と前記第３の関係に基づいて、前記第２の表面電位が前記第２の目標値となるように、前記第１の電圧を前記所定の電圧に制御することを特徴とする請求項７に記載の画像形成装置。
【請求項１０】
前記劣化度は、前記像担持体の積算回転数であることを特徴とする請求項６から９のいずれか１項に記載の画像形成装置。
【請求項１１】
前記制御部は、前記露光ユニットによって露光される前記所定の露光量を、前記画像形成動作時に前記像担持体の表面を露光する露光量よりも大きくなるように制御することを特徴とする請求項１から１０のいずれか１項に記載の画像形成装置。
【請求項１２】
前記制御部は、前記表面電位形成工程において、前記接触部材と前記像担持体との間の放電開始電圧に基づいて前記表面電位を前記測定値として算出することを特徴とする請求項１から１１のいずれか１項に記載の画像形成装置。
【請求項１３】
前記接触部材は、前記像担持体の表面に形成された現像剤像を記録媒体に転写させるための転写部材であることを特徴とする請求項１から１２のいずれか１項に記載の画像形成装置。
【手続補正２】
【補正対象書類名】明細書
【補正対象項目名】００１３
【補正方法】変更
【補正の内容】
【００１３】
上記目的を達成するために、本発明である画像形成装置は、
回転可能な像担持体と、
前記像担持体の表面を帯電する帯電部材と、
前記帯電部材によって帯電された前記像担持体の表面を露光することで、前記像担持体
に静電潜像を形成する露光ユニットと、
前記像担持体に接触する接触部材と、
前記帯電部材に第１の電圧を印加する第１の電圧印加部と、
前記接触部材に第２の電圧を印加する第２の電圧印加部と、
前記接触部材から前記像担持体に流れる電流の電流値を検知する電流検知部と、
前記露光ユニットと前記第１の電圧印加部と前記第２の電圧印加部と、を制御する制御部と、を有し、
前記制御部は、
前記第２の電圧印加部によって前記接触部材に前記第２の電圧が印加された状態で、前記接触部材と前記像担持体との間に流れ、前記電流検知部によって検知される放電電流に基づいて前記像担持体の表面電位を測定値として算出し、前記測定値に基づいて記録媒体に画像を形成する画像形成動作時における前記像担持体の前記表面電位を形成する表面電位形成工程を実行する画像形成装置において、
前記表面電位形成工程は、以下の（ｉ）〜（ｉｉｉ）の工程を含むことを特徴とする。
（ｉ）前記第１の電圧印加部によって所定の電圧が印加された前記帯電部材によって帯電された前記像担持体の表面を、前記露光ユニットによって所定の露光量で露光することによって形成された前記像担持体の前記表面電位を算出し、算出された前記像担持体の前記表面電位と目標値との差から補正値を算出する第１の工程、
（ｉｉ）前記補正値に基づいて前記第１の工程により算出された前記像担持体の前記表面電位を補正する第２の工程、
（ｉｉｉ）前記第２の工程において補正された前記像担持体の前記表面電位に基づいて、前記画像形成動作時における前記像担持体の前記表面電位が前記目標値となるように前記第１の電圧印加部と前記露光ユニットのうち少なくとも１つを制御する第３の工程。
また、上記目的を達成するために、本発明である画像形成装置は、
回転可能な像担持体と、前記像担持体の表面を帯電する帯電部材と、を備えるカートリッジと、
前記帯電部材によって帯電された前記像担持体の表面を露光することで、前記像担持体に静電潜像を形成する露光ユニットと、
前記像担持体に接触する接触部材と、
前記帯電部材に第１の電圧を印加する第１の電圧印加部と、
前記接触部材に第２の電圧を印加する第２の電圧印加部と、
前記接触部材から前記像担持体に流れる電流の電流値を検知する電流検知部と、
前記カートリッジの使用状況に基づいて、前記カートリッジの劣化度を取得する取得部と、
前記露光ユニットと前記第１の電圧印加部と前記第２の電圧印加部と、を制御する制御部と、を有し、
前記制御部は、前記第２の電圧印加部によって前記接触部材に前記第２の電圧が印加された状態で、前記電流検知部によって検知される放電電流に基づいて前記像担持体の表面電位を測定値として算出し、前記測定値に基づいて記録媒体に画像を形成する画像形成動作時における前記像担持体の前記表面電位を形成する表面電位形成工程を実行する画像形成装置において、
前記制御部は、前記取得部によって取得される前記劣化度が閾値以下である場合、以下の（ｉ）〜（ｉｉｉ）の第１の表面電位形成工程を実行し、前記取得部によって取得される前記劣化度が閾値より大きい場合、以下の（ｉｖ）〜（ｖｉ）の第２の表面電位形成工程を実行することを特徴とする。
（ｉ）前記第１の電圧印加部によって所定の電圧が印加された前記帯電部材によって帯電された前記像担持体の表面を、前記露光ユニットによって所定の露光量で露光することによって形成された前記像担持体の第１の表面電位を算出し、算出された前記第１の表面電位と第１の目標値との差から第１の補正値を算出する第１の工程、
（ｉｉ）前記第１の補正値に基づいて前記第１の工程により算出された前記第１の表面
電位を補正する第２の工程、
（ｉｉｉ）前記第２の工程において補正された前記第１の表面電位に基づいて、前記画像形成動作時における前記第１の表面電位が前記第１の目標値となるように前記第１の電圧印加部と前記露光ユニットのうち少なくとも１つを制御する第３の工程、
（ｉｖ）前記第１の電圧印加部によって前記所定の電圧が印加された帯電部材によって帯電された前記像担持体の表面を、前記露光ユニットによって露光せず前記像担持体の第２の表面電位を算出し、算出された前記第２の表面電位と第２の目標値との差から第２の補正値を算出する第４の工程、
（ｖ）前記第２の補正値に基づいて前記第４の工程により算出された前記第２の表面電位を補正する第５の工程、
（ｖｉ）前記第５の工程において補正された前記第２の表面電位に基づいて、前記画像形成動作時における前記第２の表面電位が前記第２の目標値となるように前記第１の電圧印加部と前記露光ユニットのうち少なくとも１つを制御する第６の工程。